(57)【特許請求の範囲】
【請求項１】
複数の基地局から信号を受信する無線通信デバイスにおけるバックグラウンド・スキャニングの方法であって、
複数の基地局からの生信号データを第１のサンプルバッファにバッファすることと、
前記基地局のうちで前記無線通信デバイスへのアクティブ接続を有するサービング基地局として現在指定されている第１の基地局からのデータを復号するために受信ベースバンド・プロセッサに前記生信号データを転送することと、
前記受信ベースバンド・プロセッサとは別のバックグラウンド・スキャニング・プロセッサに前記生信号データを転送することと、
前記複数の基地局から受信される１または複数の追加フレームの追加生信号データを格納するために第２のサンプルバッファを使用することと、
前記サービング基地局として指定された前記第１の基地局とのデータの交換を中断させずに、前記バックグラウンド・スキャニング・プロセッサで、ソース選択ロジックを用いて各々選択される前記第１および第２のサンプルバッファからの前記生信号データおよび追加生信号データに基づいて前記複数の基地局に対応するチャネル特性を生成することと、ここにおいて前記第２のサンプルバッファは、前記バックグラウンド・スキャニング・プロセッサが遅すぎる場合または後続フレームの到着の前に処理するには多すぎる情報がある場合に選択される、
前記バックグラウンド・スキャニング・プロセッサによって生成された前記チャネル特性に基づいて、前記サービング基地局として指定された前記第１の基地局から、前記サービング基地局として指定される第２の基地局に切り替えるためのハンドオフ判定を行うこととを備える方法。
【請求項２】
前記ハンドオフ判定は、前記バックグラウンド・スキャニング・プロセッサとは別の、前記無線通信デバイス上のハンドオフ・メカニズムによって行われる、請求項１に記載の方法。
【請求項３】
前記バックグラウンド・スキャニング・プロセッサを用いて、ハンドオフが望ましいかどうかを判定するために前記別のハンドオフ・メカニズムによって使用されるハンドオフトリガメトリックテーブルを更新することをさらに備える、請求項２に記載の方法。
【請求項４】
前記ハンドオフ判定は、前記バックグラウンド・スキャニング・プロセッサによって行われる、請求項１に記載の方法。
【請求項５】
無線通信デバイスであって、
複数の基地局から受信された生信号データを第１のサンプルバッファにバッファするロジックと、
前記基地局のうちで前記無線通信デバイスへのアクティブ接続を有するサービング基地局として現在指定されている第１の基地局からのデータを前記生信号データから復号する受信ベースバンド・プロセッサと、
前記複数の基地局から受信される１または複数の追加フレームの追加生信号データを格納するために第２のサンプルバッファを使用するロジックと、
前記サービング基地局として指定された前記第１の基地局とのデータの交換を中断させずに、ソース選択ロジックを用いて各々選択される前記第１および第２のサンプルバッファからの前記生信号データおよび追加生信号データに基づいて前記複数の基地局に対応するチャネル特性を生成するバックグラウンド・スキャニング・プロセッサと、ここにおいて前記第２のサンプルバッファは、前記バックグラウンド・スキャニング・プロセッサが遅すぎる場合または後続フレームの到着の前に処理するには多すぎる情報がある場合に選択される、
前記バックグラウンド・スキャニング・プロセッサによって生成された前記チャネル特性に基づいて、前記サービング基地局として指定された前記第１の基地局から、前記サービング基地局として指定される第２の基地局に切り替えるためのハンドオフ判定を行うロジックと
を備える無線通信デバイス。
【請求項６】
前記ハンドオフ判定は、前記バックグラウンド・スキャニング・プロセッサとは別の前記無線通信デバイス上のハンドオフ・メカニズムによって行われる、請求項５に記載の無線通信デバイス。
【請求項７】
前記バックグラウンド・スキャニング・プロセッサは、ハンドオフが望ましいかどうかを判定するために前記別のハンドオフ・メカニズムによって使用されるハンドオフ・トリガ・メトリック・テーブルを更新するように構成される、請求項６に記載の無線通信デバイス。
【請求項８】
前記ハンドオフ判定は、前記バックグラウンド・スキャニング・プロセッサによって行われる、請求項７に記載の無線通信デバイス。
【請求項９】
無線通信の装置であって、
複数の基地局から受信された生信号データを第１のサンプルバッファにバッファする手段と、
前記基地局のうちで無線通信デバイスへのアクティブ接続を有するサービング基地局として現在指定されている第１の基地局からのデータを前記生信号データから復号する手段と、
前記複数の基地局から受信される１または複数の追加フレームの追加生信号データを格納するために第２のサンプルバッファを使用し、前記サービング基地局として指定された前記第１の基地局とのデータの交換を中断させずに、前記複数の基地局に対応するチャネル特性をソース選択ロジックを用いて各々選択される前記第１および第２のサンプルバッファからの前記生信号データおよび追加生信号データに基づいて生成する手段と、ここにおいて前記第２のサンプルバッファは、前記バックグラウンド・スキャニング・プロセッサが遅すぎる場合または後続フレームの到着の前に処理するには多すぎる情報がある場合に選択される、
前記バックグラウンド・スキャニング・プロセッサによって生成された前記チャネル特性に基づいて、前記サービング基地局として指定された前記第１の基地局から、前記サービング基地局として指定される第２の基地局に切り替えるためのハンドオフ判定を行う手段と
を備える装置。
【請求項１０】
前記ハンドオフ判定を行う手段は、前記チャネル特性を生成する手段とは別である、請求項９に記載の装置。
【請求項１１】
前記チャネル特性を生成する手段は、前記ハンドオフが望ましいかどうかを判定するためにハンドオフ判定を行う別の手段によって使用されるハンドオフ・トリガ・メトリック・テーブルを更新するように構成される、請求項１０に記載の装置。
【請求項１２】
１または複数のプロセッサによって実行可能な命令のセットを備え複数の基地局から信号を受信する無線通信デバイスにおけるバックグラウンド・スキャニングのためのコンピュータ・プログラムであって、前記命令のセットは、
複数の基地局から生信号データを受信するための命令と、
前記生信号データを第１のサンプルバッファに格納する命令と、
前記複数の基地局から受信される１または複数の追加フレームの追加生信号データを格納するために第２のサンプルバッファを使用する命令と、
前記無線通信デバイスと、前記基地局のうちでサービング基地局として指定された第１の基地局との間のデータの交換を中断させずに、ソース選択ロジックを用いて各々選択される前記第１および第２のサンプルバッファからの前記生信号データおよび追加生信号データに基づいて前記複数の基地局に対応するチャネル特性を生成するための命令と、ここにおいて前記第２のサンプルバッファは、前記バックグラウンド・スキャニング・プロセッサが遅すぎる場合または後続フレームの到着の前に処理するには多すぎる情報がある場合に選択される、
前記生成されたチャネル特性に基づいて、前記サービング基地局として指定された前記第１の基地局から、前記サービング基地局として指定される第２の基地局に切り替えるハンドオフ判定を行うための命令と
を備える、コンピュータ・プログラム。
【請求項１３】
前記命令のセットは、
前記生成されたチャネル特性に基づいて、ハンドオフ・トリガ・メトリック・テーブルを更新するための命令
をさらに備える、請求項１２に記載のコンピュータ・プログラム。
【発明の詳細な説明】
【技術分野】
【０００１】
本開示のある種の実施形態は、全般的には無線通信に関し、より具体的には、モバイル通信デバイスによる基地局のバックグラウンド・スキャニングに関する。
【背景技術】
【０００２】
ＩＥＥＥ  ８０２．１６の下のＯＦＤＭ無線通信システムおよびＯＦＤＭＡ無線通信システムは、複数のサブキャリアの周波数の直交性に基づいてシステム内のサービスについて登録された無線デバイス（すなわち、移動局）と通信するために基地局のネットワークを使用し、マルチパス・フェージングおよび干渉に対する抵抗など、広帯域無線通信に関する複数の技術的利点を達成するために実施され得る。各基地局（ＢＳ）は、移動局（ＭＳ）との間でデータを伝送するラジオ周波数（ＲＦ）信号を送信し、受信する。ＢＳからのそのようなＲＦ信号は、さまざまな通信管理機能のために、データロード（音声および他のデータ）に加えてオーバヘッドロードを含む。各ＭＳは、データを処理する前に、各受信信号のオーバヘッドロード内の情報を処理する。
【０００３】
ＯＦＤＭＡシステムのＩＥＥＥ  ８０２．１６規格の現バージョンの下では、基地局からのすべてのダウンリンク・サブフレームは、オーバヘッド・ロードの一部として、プリアンブルおよびプリアンブルに続くフレーム制御ヘッダ（ＦＣＨ）を含む。プリアンブルは、セルおよびセル内のセル・セクタを探索するための情報ならびに移動局を時間と周波数との両方で受信ダウンリンク信号と同期化するための情報を含む。ダウンリンク・サブフレームのＦＣＨ部分は、ダウンリンク伝送フォーマットに関する情報（例えば、ダウンリンク媒体アクセス・プロトコル（ｄｏｗｎｌｉｎｋ  ｍｅｄｉａ  ａｃｃｅｓｓ  ｐｒｏｔｏｃｏｌ）すなわちＤＬ  ＭＡＰ）およびダウンリンク・データ受信に関する制御情報（例えば、現在のダウンリンク・フレーム内のサブキャリアの割当て）を含む。したがって、ＭＳなどの受信機は、まず、ＤＬ  ＭＡＰの位置を判定するためにＦＣＨを復号し、対応する位置のＤＬ  ＭＡＰを復号し、その後、データを抽出する。
【０００４】
通信品質があるしきい値未満に下がる場合には、ＭＳは、それとのハンドオーバ（ＨＯ）を実行すべき別のＢＳのスキャニングを開始することができる。しかし、８０２．１６ｅ規格の下では、ＭＳは、近隣基地局をスキャンするために、データの伝送および受信を停止しなければならない。したがって、別のＢＳをスキャンするために、ＭＳは、その間にＭＳが近隣ＢＳをスキャンできる時間間隔を割り当てるようにサービングＢＳに要求することができる。ＭＳは、その中に要求されるスキャン持続時間、インタリブ間隔、およびスキャン情報を含めることができるＭＯＢ＿ＳＣＮ−ＲＥＱメッセージを送信することによって、近隣ＢＳをスキャンすることができる。
【０００５】
ＭＯＢ＿ＳＣＮ−ＲＥＱを受信したサービングＢＳは、スキャニング開始フレームおよび許可される値を含むことができるＭＯＢ＿ＳＣＮ−ＲＥＰメッセージを送信することによって、ＭＳに時間間隔を許可することができる。さらに、ＢＳは、近隣ＢＳスキャニングを開始するためにＭＳをトリガするために、非送信請求ＭＯＢ＿ＳＣＮ−ＲＳＰメッセージを送信することができる。
【０００６】
近隣ＢＳスキャニングは、ＭＳが適切なＨＯを実現するための必須機能である。ＢＳのより頻繁なスキャニングがＨＯ性能を改善することは、明白である。しかし、８０２．１６ｅ規格の下では、ＭＳは、近隣基地局をスキャンするためにデータの伝送および受信を停止しなければならず、これは、ＢＳが、スキャニング間隔中にＭＳにデータを送信してはならず、ＢＳが、スキャニング間隔中にＭＳからデータを受信する責任を負わないことを意味する。
【発明の概要】
【０００７】
ある種の実施形態は、複数の基地局から信号を受信する無線通信デバイスにおけるバックグラウンド・スキャニングの方法を提供する。この方法は、一般に、複数の基地局からの生信号データをバッファすることと、基地局のうちで無線通信デバイスへのアクティブ接続を有するサービング基地局として現在指定されている第１の基地局からのデータを復号するために受信ベースバンド・プロセッサに生信号データを転送することと、受信ベースバンド・プロセッサとは別のバックグラウンド・スキャニング・プロセッサに生信号データを転送することと、サービング基地局として指定された第１の基地局とのデータの交換に割り込まずに、バックグラウンド・スキャニング・プロセッサを用いて複数の基地局に対応するチャネル特性を生成することとを含む。
【０００８】
ある種の実施形態は、無線通信デバイスを提供する。このデバイスは、一般に、複数の基地局から受信された生信号データをバッファするロジックと、基地局のうちで無線通信デバイスへのアクティブ接続を有するサービング基地局として現在指定されている第１の基地局からのデータを生信号データから復号する受信ベースバンド・プロセッサと、サービング基地局として指定された第１の基地局とのデータの交換に割り込まずに、複数の基地局に対応するチャネル特性を生成するバックグラウンド・スキャニング・プロセッサとを含む。
【０００９】
ある種の実施形態は、無線通信の装置を提供する。この装置は、一般に、複数の基地局から受信された生信号データをバッファするための手段と、基地局のうちで無線通信デバイスへのアクティブ接続を有するサービング基地局として現在指定されている第１の基地局からのデータを生信号データから復号するための手段と、サービング基地局として指定された第１の基地局とのデータの交換に割り込まずに、複数の基地局に対応するチャネル特性を生信号データに基づいて生成するための手段とを含む。
【００１０】
ある種の実施形態は、複数の基地局から信号を受信する無線通信デバイスにおけるバックグラウンド・スキャニングのプログラムを含むコンピュータ読取可能媒体を提供する。プロセッサによって実行される場合、このプログラムは、一般に、複数の基地局から生信号データを受信することと、無線通信デバイスと、基地局のうちでサービング基地局として指定された第１の基地局との間のデータの交換に割り込まずに、複数の基地局に対応するチャネル特性を生成することとを含む動作を実行する。
【図面の簡単な説明】
【００１１】
本開示の上記した特徴を詳細に理解できる形式のために、上記要約された、より具体的な説明を、その一部が添付図面に示された実施形態を参照することによって有することができる。しかし、添付図面は、本開示のある種の典型的な実施形態しか示していないので、説明は、他の同等に効果的な実施形態を可能にすることもできるので、本開示の範囲を限定するものとは考えられないことに留意されたい。
【図１】本開示のある種の実施形態による、無線通信システムを例示する図。
【図２】本開示のある種の実施形態による、無線デバイス内で利用できるさまざまな構成要素を示す図。
【図３】本開示のある種の実施形態による、直交周波数分割多重および直交周波数分割多元接続（ＯＦＤＭ／ＯＦＤＭＡ）技術を利用する無線通信システム内で使用できる送信機および受信機を例示する図。
【図４】本開示の実施形態による、近隣ＢＳスキャニングを実行しながらデータ・スループットを維持できるＭＳの動作例を示す図。
【図４Ａ】本開示の実施形態による、近隣ＢＳスキャニングを実行しながらデータ・スループットを維持するための図４の動作例に対応する手段を示すブロック図。
【図５】本開示の実施形態による、ＢＫＧプロセッサを有するＭＳの例を示す図。
【図６Ａ】本開示の実施形態による、動作例を示すブロック図。
【図６Ｂ】本開示の実施形態による、動作例を示すブロック図。
【図６Ｃ】本開示の実施形態による、動作例を示すブロック図。
【図６Ｄ】本開示の実施形態による、動作例を示すブロック図。
【発明を実施するための形態】
【００１２】
本開示の実施形態は、ＭＳが、サービングＢＳとのデータ交換を停止せずに近隣ＢＳのバックグラウンド（ＢＫＧ）スキャニングを実行することを可能にする。ＢＫＧスキャニングを実施することにより、ＨＯ性能とデータ・スループット性能との間のトレードオフを除去することができる。
【００１３】
（例示的な無線通信システム）  
本開示の方法および装置は、ブロードバンド無線通信システムで利用することができる。本明細書で使用される場合、用語「ブロードバンド無線」は、一般に、所与の領域にわたる音声、インターネット、および／またはデータネットワークアクセスなどの無線サービスの任意の組合せを提供することができる技術を指す。
【００１４】
Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓを表すＷｉＭＡＸは、長距離にわたる高スループットブロードバンド接続を提供する規格ベースのブロードバンド無線技術である。現在、ＷｉＭＡＸの２つの主要な応用すなわち、固定ＷｉＭＡＸおよびモバイルＷｉＭＡＸがある。固定ＷｉＭＡＸ応用は、ポイント・トゥ・マルチポイントであり、例えば家庭および会社へのブロードバンドアクセスを可能にする。モバイルＷｉＭＡＸは、ブロードバンド速度でセルラネットワークの完全なモビリティを提供する。
【００１５】
モバイルＷｉＭＡＸは、ＯＦＤＭ（直交周波数分割多重）およびＯＦＤＭＡ（直交周波数分割多元接続）技術に基づく。ＯＦＤＭは、最近さまざまな高データ・レート通信システムで幅広い採用を得たデジタル・マルチキャリア変調技法である。ＯＦＤＭを用いると、伝送ビットストリームは、複数のより低いレートのサブストリームに分割される。各サブストリームは、複数の直交サブキャリアのうちの１つを用いて変調され、複数の並列サブチャネルのうちの１つを介して送信される。ＯＦＤＭＡは、ユーザが異なる時間スロットにサブキャリアを割り当てられる多元接続技法である。ＯＦＤＭＡは、大きく変化するアプリケーション、データ・レート、およびサービス品質要件を有する多数のユーザに対処できる柔軟な多元接続技法である。
【００１６】
無線インターネットおよび無線通信のすばやい成長は、無線通信サービスの分野での高データ・レートの需要増加をもたらした。ＯＦＤＭ／ＯＦＤＭＡシステムは、現在、最も有望な研究領域の１つとみなされ、無線通信の次世代の主要な技術とみなされている。これは、ＯＦＤＭ／ＯＦＤＭＡ変調スキームが、従来のシングル・キャリア変調スキームを超える変調効率、スペクトル効率、柔軟性、および強いマルチパス免疫性などの多くの利点を提供できるという事実に拠る。
【００１７】
ＩＥＥＥ  ８０２．１６ｘは、固定式およびモバイルのブロードバンド無線アクセス（ＢＷＡ）システム用のエア・インタフェースを定義するための新生の規格体系である。これらの規格は、少なくとも４つの異なる物理レイヤ（ＰＨＹ）および１つの媒体アクセス制御（ＭＡＣ）レイヤを定義する。４つの物理レイヤのうちのＯＦＤＭ物理レイヤおよびＯＦＤＭＡ物理レイヤは、それぞれ固定ＢＷＡ領域およびモバイルＢＷＡ領域で最も人気がある。
【００１８】
図１に、本開示の実施形態を使用できる無線通信システム１００の例を示す。無線通信システム１００は、ブロードバンド無線通信システムとなりうる。無線通信システム１００は、それぞれが基地局１０４によってサービスされる複数のセル１０２に通信を提供することができる。基地局１０４は、ユーザ端末１０６と通信する固定局とすることができる。基地局１０４は、その代わりに、アクセスポイント、Ｎｏｄｅ  Ｂ、またはある他の用語で称されうる。
【００１９】
図１は、システム１００全体に散在するさまざまなユーザ端末１０６を示す。ユーザ端末１０６は、固定式（すなわち、据え置き式）またはモバイルとすることができる。ユーザ端末１０６を、その代わりに、遠隔局、アクセス端末、端末、加入者ユニット、移動局、局、ユーザ機器などと称することができる。ユーザ端末１０６は、セルラ電話、携帯情報端末（ＰＤＡ）、ハンドヘルド・デバイス、無線モデム、ラップトップ・コンピュータ、パーソナル・コンピュータ等のような無線デバイスでありうる。
【００２０】
さまざまなアルゴリズムおよび方法を、無線通信システム１００内で基地局１０４とユーザ端末１０６との間の伝送に使用することができる。例えば、信号を、ＯＦＤＭ／ＯＦＤＭＡ技法に従って基地局１０４とユーザ端末１０６との間で送信し、受信することができる。そうである場合には、無線通信システム１００を、ＯＦＤＭ／ＯＦＤＭＡシステムと称することができる。
【００２１】
基地局１０４からユーザ端末１０６への伝送を容易にする通信リンクは、ダウンリンク１０８と称され、ユーザ端末１０６から基地局１０４への伝送を容易にする通信リンクを、アップリンク１１０と称することができる。その代わりに、ダウンリンク１０８を、順方向リンクまたは順方向チャネルと称する場合があり、アップリンク１１０を、逆方向リンクまたは逆方向チャネルと称する場合がある。
【００２２】
セル１０２は、複数のセクタ１１２に分割されうる。セクタ１１２は、セル１０２内の物理有効通信範囲領域である。無線通信システム１００内の基地局１０４は、セル１０２の特定のセクタ１１２内の電力の流れを集中させるアンテナを利用することができる。そのようなアンテナは、指向性アンテナと称されうる。
【００２３】
図２に、無線通信システム１００内で使用できる無線デバイス２０２内で利用できるさまざまな構成要素を示す。無線デバイス２０２は、本明細書で説明されるさまざまな方法を実施するために構成され得るデバイスの例である。無線デバイス２０２は、基地局１０４またはユーザ端末１０６でありうる。
【００２４】
無線デバイス２０２は、無線デバイス２０２の動作を制御するプロセッサ２０４を含みうる。プロセッサ２０４は、中央制御装置（ＣＰＵ）とも称されうる。読取専用メモリ（ＲＯＭ）とランダム・アクセス・メモリ（ＲＡＭ）との両方を含むことができるメモリ２０６は、プロセッサ２０４に命令およびデータを供給する。メモリ２０６の一部は、不揮発性ランダム・アクセス・メモリ（ＮＶＲＡＭ）を含むこともできる。プロセッサ２０４は、通常、メモリ２０６に格納されたプログラム命令に基づいて、ロジック演算および算術演算を実行する。本明細書で説明される方法を実施するために、メモリ２０６内の命令を実行可能とすることができる。
【００２５】
無線デバイス２０２は、無線デバイス２０２と遠隔位置との間でのデータの伝送および受信を可能にするために送信機２１０および受信機２１２を含むことができるハウジング２０８をも含むことができる。送信機２１０および受信機２１２を、トランシーバ２１４に組み合わせることができる。アンテナ２１６を、ハウジング２０８に取り付け、トランシーバ２１４に電気的に接続することができる。無線デバイス２０２は、（図示されていない）複数の送信機、複数の受信機、複数のトランシーバ、および／または複数のアンテナを含むこともできる。
【００２６】
無線デバイス２０２は、トランシーバ２１４によって受信された信号を検出し、そのレベルを定量化する目的で使用される信号検出器２１８をも含むことができる。信号検出器２１８は、総エネルギ、パイロットサブキャリアからのパイロット・エネルギまたはプリアンブル・シンボルからの信号エネルギ、電力スペクトル密度、および他の信号などの信号を検出することができる。無線デバイス２０２は、信号を処理する際に使用されるデジタル信号プロセッサ（ＤＳＰ）２２０をも含むことができる。
【００２７】
無線デバイス２０２のさまざまな構成要素を、データ・バスに加えて電力バス、制御信号バス、およびステータス信号バスを含むことができるバス・システム２２２によってともに結合することができる。
【００２８】
図３に、ＯＦＤＭ／ＯＦＤＭＡを利用する無線通信システム１００内で使用できる送信機３０２の例を示す。送信機３０２の諸部分を、無線デバイス２０２の送信機２１０内に実装することができる。送信機３０２を、ダウンリンク１０８でのユーザ端末１０６へのデータ３０６の伝送のために基地局１０４内に実装することができる。送信機３０２を、アップリンク１１０での基地局１０４へのデータ３０６の伝送のためにユーザ端末１０６内に実装することもできる。
【００２９】
送信されるデータ３０６は、シリアル・パラレル（Ｓ／Ｐ）コンバータ３０８に入力として提供されるものとして図示されている。Ｓ／Ｐコンバータ３０８は、この送信データをＮ個の並列データ・ストリーム３１０に分割することができる。
【００３０】
Ｎ個の並列データ・ストリーム３１０は次に、マッパ３１２に入力として供給されうる。マッパ３１２は、Ｎ個の並列データ・ストリーム３１０をＮ個のコンステレーション点にマッピングすることができる。このマッピングは、バイナリ・フェーズ・シフト・キーイング（ＢＰＳＫ）、直交フェーズ・シフト・キーイング（ＱＰＳＫ）、８フェーズ・シフト・キーイング（８ＰＳＫ）、直交振幅変調（ＱＡＭ）等のようなある変調コンステレーションを使用して行うことができる。したがって、マッパ３１２は、Ｎ個の並列シンボル・ストリーム３１６を出力することができ、各シンボル・ストリーム３１６は、逆高速フーリエ変換（ＩＦＦＴ）３２０のＮ個の直交サブキャリアのうちの１つに対応する。これらＮ個の並列シンボル・ストリーム３１６は、周波数領域で表され、ＩＦＦＴ構成要素３２０によってＮ個の並列時間領域サンプル・ストリーム３１８に変換され得る。
【００３１】
用語法に関する短い注を、これから提供する。周波数領域のＮ個の並列変調は、周波数領域のＮ個の変調シンボルと等しく、これは、周波数領域のＮ個のマッピングおよびＮ点ＩＦＦＴと等しく、これは、時間領域の１つの（有用な）ＯＦＤＭシンボルと等しく、これは、時間領域のＮ個のサンプルと等しい。時間領域の１つのＯＦＤＭシンボルＮｓは、Ｎｃｐ（ＯＦＤＭシンボルあたりのガード・サンプルの個数）＋Ｎ（ＯＦＤＭシンボルあたりの有用なサンプルの個数）と等しい。
【００３２】
Ｎ個の並列時間領域サンプル・ストリーム３１８は、パラレル・シリアル（Ｐ／Ｓ）コンバータ３２４によってＯＦＤＭ／ＯＦＤＭＡシンボル・ストリーム３２２に変換されうる。ガード挿入構成要素３２６は、ＯＦＤＭ／ＯＦＤＭＡシンボル・ストリーム３２２内の連続するＯＦＤＭ／ＯＦＤＭＡシンボルの間にガード・インタバルを挿入することができる。次に、ガード挿入構成要素３２６の出力は、ラジオ周波数（ＲＦ）フロント・エンド３２８によって所望の送信周波数帯域にアップコンバートされうる。そして、その結果得られた信号３３２を、アンテナ３３０が送信することができる。
【００３３】
図３には、ＯＦＤＭ／ＯＦＤＭＡを利用する無線デバイス２０２内で使用できる受信機３０４の例も示されている。受信機３０４の諸部分は、無線デバイス２０２の受信機２１２内に実装されうる。受信機３０４は、データ３０６をダウンリンク１０８で基地局１０４から受信するためにユーザ端末１０６内に実装されうる。受信機３０４は、データ３０６をアップリンク１１０でユーザ端末１０６から受信するために基地局１０４内に実装されうる。
【００３４】
送信された信号３３２は、無線チャネル３３４を移動して図示されている。信号３３２’がアンテナ３３０’によって受信された場合、受信された信号３３２’は、ＲＦフロント・エンド３２８’によってベースバンド信号にダウンコンバートされうる。次に、ガード除去構成要素３２６’が、ガード挿入構成要素３２６によってＯＦＤＭ／ＯＦＤＭＡシンボルの間に挿入されたガード・インタバルを除去することができる。
【００３５】
ガード除去構成要素３２６’の出力は、Ｓ／Ｐコンバータ３２４’に供給されうる。Ｓ／Ｐコンバータ３２４’は、ＯＦＤＭ／ＯＦＤＭＡシンボル・ストリーム３２２’を、それぞれがＮ個の直交サブキャリアのうちの１つに対応するＮ個の並列時間領域シンボル・ストリーム３１８’に分割することができる。高速フーリエ変換（ＦＦＴ）構成要素３２０’は、Ｎ個の並列時間領域シンボル・ストリーム３１８’を周波数領域に変換し、Ｎ個の並列周波数領域シンボル・ストリーム３１６’を出力することができる。
【００３６】
デマッパ３１２’は、マッパ３１２によって実行されたシンボル・マッピング動作の逆を実行し、これによってＮ個の並列データ・ストリーム３１０’を出力することができる。Ｐ／Ｓコンバータ３０８’は、Ｎ個の並列データ・ストリーム３１０’を単一のデータ・ストリーム３０６’に結合することができる。理想的には、このデータ・ストリーム３０６’は、送信機３０２に入力として供給されたデータ３０６に対応する。要素３０８’、３１０’、３１２’、３１６’、３２０’、３１８’、および３２４’のすべてを、ベースバンド・プロセッサ３４０’上またはベースバンド・プロセッサ３４０’内で見い出すことができることに留意されたい。
【００３７】
（近隣基地局スキャニング）  
ＭＳがセル内でまたはセルの間で移動すると、そのＭＳによって受信される信号のうちの１または複数の特性が変化する場合がある。受信されるデータは、特定のＢＳに向けられていないので、ＭＳは、通信すべき理想的なＢＳを判定するハンドオフ機構を利用することができる。
【００３８】
８０２．１６ｅ規格によれば、従来のＭＳは、近隣ＢＳからの信号を復号し、そのチャネル特性を評価するために、サービングＢＳからのスキャニング期間を要求することができる。従来のＭＳは、通常、スキャニング期間中にデータ送信およびデータ受信を停止し、これによって全体的なスループットが下がる。その結果、ハンドオフを適切に実現するために近隣ＢＳスキャニングを実行することによって高い信号品質を保証することと、データ・スループット性能を維持することとの間にトレードオフが展開される可能性がある。言い換えると、近隣ＢＳのより頻繁なスキャニングは、ＨＯ性能および信号品質を改善するが、スキャニングおよび関連するＨＯ動作の実行は、データ・スループットを大幅に妨げる可能性がある。
【００３９】
しかし、本開示の実施形態は、データ・スループットに対するインパクトを抑えながらバックグラウンド・スキャニングを実行することを可能にする受信機アーキテクチャを提供する。バックグラウンド・スキャニングは、そのアーキテクチャを利用する図４に示された動作４００に従って実行されうる。図５に示されているように、このアーキテクチャは、受信機ベースバンド処理に加えて、バックグラウンド・スキャニング用の別のベースバンド・プロセッサを含むことができる。この別のプロセッサにスキャニング動作を「オフロード」することによって、サービング基地局との接続を、近隣基地局をスキャンしながら維持することができる。
【００４０】
図４を参照して、別のベースバンド・プロセッサを有するＭＳによって実行されるバックグラウンド・スキャニングの例の動作４００を説明する。この動作は、近隣ＢＳスキャニングを実行しながらデータ・スループットを維持することを支援することができる。動作４００は、図５に見られる構成要素を参照して説明される。
【００４１】
この動作は、４０２で、ＭＳが複数の基地局からＯＦＤＭ（Ａ）送信信号を受信することから開始される。この送信信号は、データの１または複数のフレームに対応し、したがって、フレーム制御ヘッダ（ＦＣＨ）および対応するデータ・バーストを含みうる。図示されているように、このアーキテクチャは、受信信号をベースバンド信号にダウンコンバートするのに従来のＲＦフロント・エンド３２８’を利用することができ、その後、付随するガード・インタバルを除去することができる。
【００４２】
４０４では、受信機によって取り込まれたすべての「オーバ・ザ・エア」情報を含みうる、ＭＳによって受信された生データが、サンプル・バッファに格納される。例えば、このアーキテクチャは、複数の復号器ブロックからアクセスできるイン・フェーザ、クォドラチュア・フェーザ（ｉｎ−ｐｈａｓｅｒ，ｑｕａｄｒａｔｕｒｅ−ｐｈａｓｅｒ、ＩＱ）または中間周波数（ＩＦ）サンプル・バッファなど、任意の適切なタイプのバッファでありうるサンプル・バッファ５１０を含むことができる。
【００４３】
４０６では、格納されたデータが、従来の受信（Ｒｘ）ベースバンド・プロセッサ５４０ならびにバックグラウンド（ＢＫＧ）プロセッサ５２０に転送されうる。サンプル・バッファ５１０および別のベースバンド・プロセッサ５２０を利用することによって、サービング基地局との接続を維持することができ、バックグラウンド・スキャニング動作を並列で実行しながらのデータの交換が可能になる。
【００４４】
４０８では、ＭＳは、受信信号を処理するのにＲＸプロセッサ５４０を使用して、サービングＢＳとのデータの交換を継続する。格納されたデータを復号した後に、４１０で、ＲＸプロセッサ５４０は、サービングＢＳから受信したデータ・パケットを下流の追加のロジックまたはアプリケーションに転送することができる。ＢＳとＭＳとの間のデータの交換は、ＲＸプロセッサ５４０が１または複数の従来の処理機能（例えば、高速フーリエ変換（ＦＦＴ）、復調、および復号）を実行することを必要とする場合がある。従来の処理機能が、通常は、Ｒｘ性能を改善する目的で、近隣（非サービング）ＢＳからの情報の大多数をフィルタ・アウトすることに留意されたい。
【００４５】
データがＲＸプロセッサ５４０と交換されている場合、４１２で、ＢＫＧプロセッサ５２０は、サービング基地局のチャネル情報を生成および／または抽出するために、バッファされた生データを処理することができ、１つまたは複数のＢＳが、抽出され得る。ＢＫＧプロセッサ５２０は、バッファされたデータを処理し、基地局の間のハンドオフを実行する際に有用な情報を生成するために、任意の適切な動作を実行することができる。
【００４６】
例えば、ＢＫＧプロセッサ５２０は、受信信号強度インジケータ（ＲＳＳＩ）、サブキャリア対干渉雑音比（ＣＩＮＲ）、およびＲｘプロセッサ５４０がサービングＢＳから受信されたデータを復号している間にＲＦサブキャリアの各セグメントの特徴を表すのに有用であることがわかる任意の適切なタイプの測定値を測定することができる。
【００４７】
その後、ＢＫＧプロセッサ５２０は、追加処理のために、監視されるさまざまなＢＳのチャネル特性を追加のロジック（例えば、ＨＯメカニズム）に送ることができる。いくつかの実施形態について、ＨＯメカニズムは、それとデータを交換すべきサービングＢＳとして使用すべき好ましいＢＳを判定するのに、ＢＫＧプロセッサ５２０から転送されたチャネル情報を使用することができる。
【００４８】
サンプル・バッファ５１０は、ＭＳによって受信されたすべての情報を含むので、ＢＫＧプロセッサ５２０は、バッファされた生データを調べ、必要と思われるすべての情報を抽出することができる。実際に、ＢＫＧプロセッサ５２０は、Ｒｘプロセッサ５４０によって実行される、サービングＢＳから受信されたデータの復号を除くすべての必要な処理を実行することができる。
【００４９】
例えば、いくつかの実施形態で、ＢＫＧプロセッサ５２０は、ＨＯメカニズムとして動作するのに必要なロジックを含むことができる。言い換えると、ＢＫＧプロセッサ５２０は、サービングＢＳおよび近隣ＢＳからのチャネル情報を評価し、ＨＯが望ましいかどうかを判定し、そうである場合にはＨＯを実行することもできる。他の実施形態では、ＢＫＧプロセッサ５２０は、チャネル特性情報を反映するためにＨＯトリガ・メトリック・テーブルを更新することができる。ＨＯトリガ・メトリック・テーブルは、ＨＯが望ましいかどうかを判定し、そうである場合にＨＯを実行するために、別のＨＯメカニズムによって使用され得る。ＨＯメカニズムは、さまざまな信号の特性（例えば、ＣＩＮＲ、ＲＳＳＩ、およびビット誤り率）を評価し、ＭＳがＨＯを実行すべき時を判定することができる。
【００５０】
ＢＫＧプロセッサ５２０が遅すぎる場合、または後続フレームの到着の前に処理するには多すぎる情報がある場合には、１または複数の追加フレームの受信データのコピーを保持するために、追加のサンプル・バッファ５１０’を使用することができる。そのような実施形態では、ソース選択ロジックを、ＢＫＧプロセッサ５２０と共に使用することもできる。
【００５１】
図６Ａ乃至図６Ｃに、ＢＫＧベースバンド・プロセッサ５２０を使用してバックグラウンド・スキャニングするときに図５に示されたアーキテクチャによって実行できる並列処理フローを示す。これらの図では、最初のサービング基地局（ＢＳＡ）および２つの近隣基地局（ＢＳＢおよびＢＳＣ）を仮定し、ＢＳＡが当初はこの３つのうちで最良の信号品質を有すると仮定する。
【００５２】
図６Ａに示されているように、３つすべてのＢＳからの信号は、ＭＳによって受信される。サンプル・バッファ５１０は、ＭＳによって受信されたすべての「生データ」情報６０４を格納するのに使用することができ、その後、この「生データ」情報６０４を、ＲＸプロセッサ５４０およびＢＫＧプロセッサ５２０に並列に転送することができる。ＢＳＡはサービング局なので、ＲＸ  ＢＢプロセッサ５４０は、他の基地局からのデータをフィルタ・アウトし、ＢＳＡから受信されたデータを復号する。その一方で、ＢＫＧプロセッサ５２０は、ハンドオフに作用するのに使用できる対応するチャネル条件情報を生成するために、３つすべての基地局からのデータを処理することによってバックグラウンド・スキャニングを実行する。
【００５３】
図６Ｂに示されているように、ＢＫＧプロセッサが、ＢＳＡのチャネル条件がＢＳＢおよびＢＳＣのチャネル条件より良好であることを示す限り、ＢＳＡは、サービング局であり続ける。したがって、図示されているように、Ｒｘプロセッサ５４０は、ＢＳＡからのデータの処理を継続し、ＢＳＡからのデータ・パケット６０６を下流の追加のロジックまたはアプリケーションに転送する。現在の例では、初期サービングＢＳは、ＢＳＡである。ＢＳＡは、ＭＳのデフォルト設定に基づいて、ＢＳ／ＭＳ登録処理中の信号分析によって、または任意の他の適切な技法によって、初期サービングＢＳとして選択され得る。
【００５４】
チャネル条件が、例えば移動局による移動に起因して変化するときに、ＢＫＧプロセッサ５２０は、更新されたチャネル条件をバックグラウンドで判定するために複数の基地局から受信された生データ６０４を処理し続ける。ある点で、ＢＫＧプロセッサ５２０は、サービングＢＳおよび近隣ＢＳからのチャネル情報を評価し、近隣局のチャネル条件が現在のサービング局のチャネル条件よりも良好であると判定することができる。いくつかの実施形態について、ＢＫＧプロセッサ５２０は、ＨＯが望ましいかどうかを判定するために別のＨＯメカニズムによって使用されるＨＯトリガ・メトリック・テーブルを更新することができる。
【００５５】
図６Ｃに示されているように、ＢＫＧプロセッサ５２０は、近隣局ＢＳＢのチャネル条件が現在のサービング局ＢＳＢよりも良好であると判定することができ、それに従ってＨＯメカニズムに知らせるためにチャネル情報を更新することができる。しかし、ＨＯメカニズムがハンドオフに作用し、ＲＸプロセッサ５４０に通信するまでは、ＲＸプロセッサ５４０は、ＢＳＡからのデータを処理し続けることができる。
【００５６】
しかし、図６Ｄに示されているように、ＨＯメカニズムが、ＢＳＢのより良好なチャネル条件を示す更新されたチャネル情報を処理した後に、ＨＯメカニズムは、ハンドオフに作用するためにＲＸプロセッサ５４０に（例えば、メッセージ／信号６０８を介して）シグナリングすることができる。したがって、ＨＯが、サービング局としてＢＳＢに切り替えるために実行された後に、Ｒｘプロセッサ５４０は、近隣局ＢＳＡおよびＢＳＣからのデータをフィルタ・アウトし始める。ＲＸプロセッサ５４０は、新たなサービング局ＢＳＢからのデータを処理し、ＢＳＢからのデータ・パケット６０６を下流の追加のロジックまたはアプリケーションに転送する。本明細書で説明したハンドオフ手順は、例えば、ユーザ端末１０６が異なる基地局１０４によってサービスされるセル１０２の境界をまたいで移動するときに行うことができる。
【００５７】
上述した方法のさまざまな動作を、図に示されたmeans-plus-functionブロックに対応するさまざまなハードウェアおよび／またはソフトウェアの構成要素（１または複数）および／またはモジュール（１または複数）によって実行することができる。一般に、対応するmeans-plus-functionの図を有する図面に示された方法がある場合には、動作ブロックは、類似する符号を有するmeans-plus-functionブロックに対応する。例えば、図４に示されたブロック４０２〜４１４は、図４Ａに示されたmeans-plus-functionブロック４０２Ａ〜４１４Ａに対応する。
【００５８】
本明細書で使用される場合、用語「判定すること（ｄｅｔｅｒｍｉｎｉｎｇ）」は、さまざまなアクションを含む。例えば、「判定すること」は、計算、コンピューティング、処理、導出、調査、ルックアップ（例えば、テーブル、データベース、または他のデータ構造内のルックアップ）、確認、等を含むことができる。また、「判定すること」は、受信（例えば、情報の受信）、アクセス（例えば、メモリ内のデータへのアクセス）等を含むことができる。また、「判定すること」は、解決、選択、選定、確立等を含むことができる。
【００５９】
情報および信号を、さまざまな異なる技術および技法のいずれかを使用して表すことができる。例えば、上記説明全体を通じて称されうるデータ、命令、コマンド、情報、信号等を、電圧、電流、電磁波、磁場または磁性粒子、光場または光粒子、あるいはその任意の組合せによって表すことができる。
【００６０】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくは他のプログラマブル論理デバイス（ＰＬＤ）、ディスクリート・ゲートもしくはトランジスタロジック、ディスクリート・ハードウェア構成要素、または本明細書で説明される機能を実行するように設計されたその任意の組合せを用いて実施しまたは実行することができる。汎用プロセッサは、マイクロプロセッサとすることができるが、代替案では、プロセッサを、任意の市販のプロセッサ、コントローラ、マイクロコントローラ、または順序回路とすることができる。プロセッサを、コンピューティングデバイスの組合せ、例えば、ＤＳＰおよびマイクロプロセッサの組合せ、複数のマイクロプロセッサ、ＤＳＰコアに関連する１または複数のマイクロプロセッサ、あるいは任意の他のそのような構成として実現することもできる。
【００６１】
本開示に関連して説明された方法またはアルゴリズムのステップを、ハードウェアで直接に、プロセッサによって実行されるソフトウェア・モジュールで、またはこの２つの組合せで実施することができる。ソフトウェア・モジュールは、当該技術分野で周知のすべての形式の記憶媒体に常駐することができる。使用できる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または多数の命令を備えることができ、複数の異なるコード・セグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。代替案では、記憶媒体をプロセッサと一体化することができる。
【００６２】
本明細書で開示される方法は、説明される方法を達成するための１または複数のステップまたはアクションを備える。方法ステップおよび／またはアクションを、特許請求の範囲の範囲から逸脱せずに相互置換することができる。言い換えると、ステップまたはアクションの特定の順序が指定されない限り、特定のステップおよび／またはアクションの順序および／または使用を、特許請求の範囲の範囲から逸脱せずに変更することができる。
【００６３】
説明された機能を、ハードウェア、ソフトウェア、ファームウェア、またはその任意の組合せで実施することができる。ソフトウェアで実施される場合に、機能を、コンピュータ読取可能媒体または記憶媒体に命令または命令の１または複数のセットとして格納することができる。記憶媒体は、コンピュータまたは１または複数の処理デバイスによってアクセスできる任意の使用可能な媒体とすることができる。限定ではなく例として、そのようなコンピュータ読取可能媒体は、ＲＡＭ、ＲＯＭ、ＥＥＰＲＯＭ、ＣＤ−ＲＯＭまたは他の光ディスク・ストレージ、磁気ディスク・ストレージまたは他の磁気ストレージ・デバイス、あるいは、命令またはデータ構造の形で所望のプログラム・コードを担持するか格納するのに使用でき、コンピュータによってアクセスできる任意の他の媒体を備えることができる。ディスク（ｄｉｓｋおよびｄｉｓｃ）は、本明細書で使用されるときに、コンパクト・ディスク（ＣＤ）、レーザ・ディスク、光ディスク、デジタル多用途ディスク（ＤＶＤ）、フロッピー（登録商標）ディスク、およびＢｌｕ−ｒａｙ（登録商標）ディスクを含み、ｄｉｓｋは、通常は磁気的にデータを再生し、ｄｉｓｃは、レーザを用いて光学的にデータを再生する。
【００６４】
ソフトウェアまたは命令を、伝送媒体を介して伝送することもできる。例えば、ソフトウェアがウェブサイト、サーバ、または他の遠隔ソースから同軸ケーブル、光ファイバ・ケーブル、ツイスト・ペア、デジタル加入者回線（ＤＳＬ）、または赤外線、無線、およびマイクロ波などの無線技術を使用して伝送される場合に、同軸ケーブル、光ファイバ・ケーブル、ツイスト・ペア、ＤＳＬ、または赤外線、無線、およびマイクロ波などの無線技術は、伝送媒体の定義に含まれる。
【００６５】
さらに、本明細書で説明される方法および技法を実行するためのモジュールおよび／または他の適切な手段を、適宜、ユーザ端末および／または基地局によってダウンロードし、かつ／または他の形式で入手することができることを了解されたい。例えば、そのようなデバイスを、本明細書で説明する方法を実行するための手段の転送を容易にするためにサーバに結合することができる。代替案では、本明細書で説明されるさまざまな方法を、記憶手段（例えば、ＲＡＭ、ＲＯＭ、コンパクト・ディスク（ＣＤ）またはフロッピー・ディスクなどの物理記憶媒体など）を介して提供することができ、ユーザ端末および／または基地局が、記憶手段をデバイスに結合するか提供するときにさまざまな方法を入手することができる。さらに、本明細書で説明される方法および技法をデバイスに提供する任意の他の適切な技法を利用することができる。
【００６６】
特許請求の範囲が、上述した正確な構成および構成要素に限定されないことを理解されたい。さまざまな修正、変更、および変形を、特許請求の範囲の範囲から逸脱せずに、上述した方法および装置の構成、動作、および詳細において行うことができる。
以下に本願発明の当初の特許請求の範囲に記載された発明を付記する。
［Ｃ１］
複数の基地局から信号を受信する無線通信デバイスにおけるバックグラウンド・スキャニングの方法であって、
複数の基地局からの生信号データをバッファすることと、
前記基地局のうちで前記無線通信デバイスへのアクティブ接続を有するサービング基地局として現在指定されている第１の基地局からのデータを復号するために受信ベースバンド・プロセッサに前記生信号データを転送することと、
前記受信ベースバンド・プロセッサとは別のバックグラウンド・スキャニング・プロセッサに前記生信号データを転送することと、
前記サービング基地局として指定された前記第１の基地局とのデータの交換に割り込まずに、前記バックグラウンド・スキャニング・プロセッサを用いて前記複数の基地局に対応するチャネル特性を生成することと
を備える方法。
［Ｃ２］
前記バックグラウンド・スキャニング・プロセッサによって生成された前記チャネル特性に基づいて、前記サービング基地局として指定された前記第１の基地局から、サービング基地局として指定される第２の基地局に切り替えるためのハンドオフ判定を行うこと
をさらに備える、Ｃ１に記載の方法。
［Ｃ３］
前記ハンドオフ判定は、前記バックグラウンド・スキャニング・プロセッサとは別の、前記無線通信デバイス上のハンドオフ・メカニズムによって行われる、Ｃ２に記載の方法。
［Ｃ４］
前記バックグラウンド・スキャニング・プロセッサを用いて、ハンドオフが望ましいかどうかを判定するために前記別のハンドオフ・メカニズムによって使用されるハンドオフ・トリガ・メトリック・テーブルを更新すること
をさらに備える、Ｃ３に記載の方法。
［Ｃ５］
前記ハンドオフ判定は、前記バックグラウンド・スキャニング・プロセッサによって行われる、Ｃ２に記載の方法。
［Ｃ６］
前記バックグラウンド・スキャニング・プロセッサを用いて前記複数の基地局に対応するチャネル特性を生成することは、
複数の期間にわたって受信された生データの履歴に基づいてチャネル特性を生成すること
を備える、Ｃ１に記載の方法。
［Ｃ７］
前記複数の基地局からの生信号データをバッファすることは、前記生信号データを第１のバッファに格納することを備え、
前記バックグラウンド・スキャニング・プロセッサに生信号データを転送することは、前記ベースバンド・プロセッサによってアクセス可能な第２のバッファに前記生信号データを格納することを備える
Ｃ１に記載の方法。
［Ｃ８］
無線通信デバイスであって、
複数の基地局から受信された生信号データをバッファするロジックと、
前記基地局のうちで前記無線通信デバイスへのアクティブ接続を有するサービング基地局として現在指定されている第１の基地局からのデータを前記生信号データから復号する受信ベースバンド・プロセッサと、
前記サービング基地局として指定された前記第１の基地局とのデータの交換に割り込まずに、前記複数の基地局に対応するチャネル特性を生成するバックグラウンド・スキャニング・プロセッサと
を備える無線通信デバイス。
［Ｃ９］
前記バックグラウンド・スキャニング・プロセッサによって生成された前記チャネル特性に基づいて、前記サービング基地局として指定された前記第１の基地局から、前記サービング基地局として指定される第２の基地局に切り替えるためのハンドオフ判定を行うロジック
をさらに備える、Ｃ８に記載の無線通信デバイス。
［Ｃ１０］
前記ハンドオフ判定は、前記バックグラウンド・スキャニング・プロセッサとは別の前記無線通信デバイス上のハンドオフ・メカニズムによって行われる、Ｃ９に記載の無線通信デバイス。
［Ｃ１１］
前記バックグラウンド・スキャニング・プロセッサは、ハンドオフが望ましいかどうかを判定するために前記別のハンドオフ・メカニズムによって使用されるハンドオフ・トリガ・メトリック・テーブルを更新するように構成される、Ｃ１０に記載の無線通信デバイス。
［Ｃ１２］
前記ハンドオフ判定は、前記バックグラウンド・スキャニング・プロセッサによって行われる、Ｃ９に記載の無線通信デバイス。
［Ｃ１３］
前記バックグラウンド・スキャニング・プロセッサは、複数の期間にわたって受信された生データの履歴に基づいてチャネル特性を生成する、Ｃ８に記載の無線通信デバイス。
［Ｃ１４］
前記複数の基地局から受信された生信号データをバッファするロジックは、
前記受信ベースバンド・プロセッサによってアクセス可能な第１のバッファと、
前記バックグラウンド・スキャニング・プロセッサによってアクセス可能な第２のバッファと
を備える、Ｃ８に記載の無線通信デバイス。
［Ｃ１５］
無線通信の装置であって、
複数の基地局から受信された生信号データをバッファする手段と、
前記基地局のうちで無線通信デバイスへのアクティブ接続を有するサービング基地局として現在指定されている第１の基地局からのデータを前記生信号データから復号する手段と、
前記サービング基地局として指定された前記第１の基地局とのデータの交換に割り込まずに、前記複数の基地局に対応するチャネル特性を前記生信号データに基づいて生成する手段と
を備える装置。
［Ｃ１６］
前記バックグラウンド・スキャニング・プロセッサによって生成された前記チャネル特性に基づいて、前記サービング基地局として指定された前記第１の基地局から、サービング基地局として指定される第２の基地局に切り替えるためのハンドオフ判定を行う手段
をさらに備える、Ｃ１５に記載の装置。
［Ｃ１７］
前記ハンドオフ判定を行う手段は、前記チャネル特性を生成する手段とは別である、Ｃ１６に記載の装置。
［Ｃ１８］
前記チャネル特性を生成する手段は、前記ハンドオフが望ましいかどうかを判定するためにハンドオフ判定を行う別の手段によって使用されるハンドオフ・トリガ・メトリック・テーブルを更新するように構成される、Ｃ１７に記載の装置。
［Ｃ１９］
前記チャネル特性を生成する手段は、複数の期間にわたって受信された生データの履歴に基づいてチャネル特性を生成するように構成される、Ｃ１５に記載の装置。
［Ｃ２０］
前記複数の基地局から受信された生信号データをバッファする手段は、
前記受信ベースバンド・プロセッサによってアクセス可能な、生信号データをバッファする第１の手段と、
前記バックグラウンド・スキャニング・プロセッサによってアクセス可能な、生信号データをバッファするための第２の手段と
を備える、Ｃ１５に記載の装置。
［Ｃ２１］
命令のセットが格納されたコンピュータ読取可能媒体を備える、複数の基地局から信号を受信する無線通信デバイスにおけるバックグラウンド・スキャニングのためのコンピュータ・プログラム製品であって、前記命令のセットは、１または複数のプロセッサによって実行可能であり、前記命令のセットは、
複数の基地局から生信号データを受信するための命令と、
前記無線通信デバイスと前記基地局のうちでサービング基地局として指定された第１の基地局との間のデータの交換に割り込まずに、前記複数の基地局に対応するチャネル特性を生成するための命令と
を備える、コンピュータ・プログラム製品。
［Ｃ２２］
前記命令のセットは、
前記生成されたチャネル特性に基づいて、前記サービング基地局として指定された前記第１の基地局から、サービング基地局として指定される第２の基地局に切り替えるハンドオフ判定を行うための命令
をさらに備える、Ｃ２１に記載のコンピュータ・プログラム製品。
［Ｃ２３］
前記命令のセットは、
前記生成されたチャネル特性に基づいて、ハンドオフ・トリガ・メトリック・テーブルを更新するための命令
をさらに備える、Ｃ２１に記載のコンピュータ・プログラム製品。
［Ｃ２４］
前記チャネル特性を生成する命令は、
複数の期間にわたって受信された生データの履歴に基づいてチャネル特性を生成するための命令
を備える、Ｃ２１に記載のコンピュータ・プログラム製品。
【図１】
0005453409.tif 000002
【図２】
0005453409.tif 000003
【図３】
0005453409.tif 000004
【図４】
0005453409.tif 000005
【図４Ａ】
0005453409.tif 000006
【図５】
0005453409.tif 000007
【図６Ａ】
0005453409.tif 000008
【図６Ｂ】
0005453409.tif 000009
【図６Ｃ】
0005453409.tif 000010
【図６Ｄ】
0005453409.tif 000011